(57)【要約】【課題】デザイン上の自由度が高く上下に安定して重ねることができる揮散装置を提供する。【解決手段】本発明の揮散装置１０は、複数の揮散口を有してドーム状に膨出した蓋体４と、蓋体４を装着する開口部１３および底壁１２を有し、底壁１２の下面に蓋体４のドーム形状に合った形状の凹部１５を有し、薬剤を収容した容器本体２と、を有する。【選択図】図４
2020192235.tif 000002
【特許請求の範囲】
【請求項１】
複数の揮散口を有してドーム状に膨出した蓋体と、
前記蓋体を装着する開口部および底部を有し、前記底部の下面に前記蓋体のドーム形状に合った形状の凹部を有し、薬剤を収容した容器本体と、
を有する揮散装置。
【請求項２】
前記蓋体が頂部に突起を有し、
前記凹部が前記突起を受け入れる凹みを有する、
請求項１の揮散装置。
【請求項３】
前記蓋体は、前記複数の揮散口を区画する複数のリブを有し、
前記複数のリブが、別の揮散装置を前記蓋体の上に重ねた状態で前記別の揮散装置の容器本体の凹部の縁に当接する環状のリブを含む、
請求項１または請求項２の揮散装置。
【請求項４】
前記環状のリブは、前記蓋体の膨出方向の略中間にある、
請求項３の揮散装置。
【請求項５】
前記複数のリブは、前記環状のリブを支える支えリブを含む、
請求項４の揮散装置。
【請求項６】
前記蓋体は、少なくとも１つの前記揮散口を塞ぐ閉塞板部を有する、
請求項１の揮散装置。
【発明の詳細な説明】
【技術分野】
【０００１】
本発明は、例えば、芳香剤や消臭剤などの揮発性を有する薬剤を揮散させる揮散装置に関する。
【背景技術】
【０００２】
従来、芳香剤や消臭剤などの薬剤を揮散させる揮散装置として、例えば、複数の揮散口を有する蓋体を薬剤を収容した容器本体の開口部に取り付けた揮散装置が知られている。
【０００３】
また、この種の揮散装置として、蓋体の外周部に冠状のフランジ（囲いのようなもの）を設けて、フランジの内側に別の揮散装置を重ねて載置することができるようにした揮散装置が知られている。複数個の揮散装置を上下に重ねて陳列することにより、陳列のためのスペースを小さくすることができるとともに、商品の見栄えを良くすることができる。
【先行技術文献】
【特許文献】
【０００４】
【特許文献１】特開２００２−３５５３０２号公報
【発明の概要】
【発明が解決しようとする課題】
【０００５】
しかし、上述した従来の揮散装置は、上下に重ねた状態における姿勢安定性を確保するため、蓋体の外周縁部に冠状のフランジを設ける必要があり、デザイン上の自由度が低かった。
【０００６】
本発明は、上記の点に鑑みてなされたもので、デザイン上の自由度が高く上下に安定して重ねることができる揮散装置を提供することを目的とする。
【課題を解決するための手段】
【０００７】
本発明の揮散装置の一態様は、複数の揮散口を有してドーム状に膨出した蓋体と、蓋体を装着する開口部および底部を有し、底部の下面に蓋体のドーム形状に合った形状の凹部を有し、薬剤を収容した容器本体と、を有する。
【発明の効果】
【０００８】
本発明の一態様によれば、デザイン上の自由度が高く上下に安定して重ねることができる揮散装置を提供することができる。
【図面の簡単な説明】
【０００９】
【図１】図１は、実施形態に係る揮散装置を示す外観斜視図である。
【図２】図２は、図１の揮散装置の容器本体を示す外観斜視図である。
【図３】図３は、図１の揮散装置の蓋体を示す外観斜視図である。
【図４】図４は、図１の揮散装置をＦ４−Ｆ４に沿って切断した断面図である。
【図５】図５は、図１の揮散装置を矢印Ｆ５方向から見た平面図である。
【図６】図６は、図１の揮散装置の上に別の揮散装置を重ねた状態を示す部分断面図である。
【発明を実施するための形態】
【００１０】
以下、本発明の実施形態について図面を参照して説明する。  
図１に示すように、本発明の一実施形態に係る揮散装置１０は、容器本体２と蓋体４を有する。容器本体２は、例えばポリエチレンテフタレート（ＰＥＴ）樹脂により形成されている。蓋体４は、例えばポリプロピレン（ＰＰ）樹脂により形成されている。容器本体２および蓋体４の材質は、上記のものに限定されるものではなく、例えば、収容する薬剤の成分に合わせて、ポリエチレン（ＰＥ）樹脂やポリスチレン（ＰＳ）樹脂、ポリカーボネート（ＰＣ）樹脂やポリ塩化ビニル（ＰＶＣ）受信、または合成樹脂以外にもガラスや金属など種々変更が可能である。
【００１１】
図２および図４に示すように、容器本体２は、略円筒状の周壁１１と、周壁１１の図示下端を塞ぐ略円板状の底壁１２（底部）と、を一体に有する。底壁１２は、容器本体２の内側に向けて（図示上方に）凹んだ略円形のドーム状の凹部１５を有する。凹部１５は、底壁１２の下面に設ければよく、底壁１２の肉厚内に形成してもよい。
【００１２】
凹部１５は、底壁１２の中心と同心に設けられている。凹部１５は、後述する蓋体４のドーム形状に合った曲面形状を有する。凹部１５の中央には、容器本体２の内側に向けてさらに凹んだ有底の略円筒状の凹み１６が設けられている。凹み１６も凹部１５の底に形成すればよく、底壁１２の肉厚内に形成してもよい。凹み１６は、後述する蓋体４の突起２４を受け入れ可能な形状および大きさを有する。
【００１３】
凹部１５および凹み１６を有する底壁１２は、底壁１２を貫通した孔を有しておらず、１枚の板状体により形成されている。一方、周壁１１の底壁１２から離間した図示上端は開放している。つまり、底壁１２から離間した周壁１１の図示上端には円形の開口部１３が設けられている。容器本体２は、例えば、樹脂の一体成形により形成されており、芳香剤や消臭剤などの揮発性を有する薬剤（図示省略）を収容する。
【００１４】
周壁１１の上端外周面には、容器本体２の開口部１３に蓋体４を装着するための略円環状の段部１４が設けられている。段部１４の外径は、周壁１１の外径よりわずかに小さい。段部１４の外周面には、蓋体４の後述する複数の係合爪２２ａを係合させるための円環状の突条部１４ａが一体に突設されている。突条部１４ａは、段部１４の外周面から径方向の外方に向けて突出している。突条部１４ａが段部１４の外周面から外方へ突出した突出高さは、周壁１１の外周面を超えない高さである。突条部１４ａは、段部１４の上下方向の中間位置に設けられている。
【００１５】
図３および図４に示すように、蓋体４は、容器本体２に近い図示下端側に、容器本体２の段部１４に外側から重なる略円筒状の縁壁部２２を有する。また、蓋体４は、縁壁部２２の上端縁部から図示上方に膨出した部分を有する。
【００１６】
図１に示すように、縁壁部２２の外径は、容器本体２の周壁１１の外径と略同じである。縁壁部２２の図示上下方向の幅は、容器本体２の段部１４の幅と略同じである。縁壁部２２の内径は、容器本体２の段部１４の外径より大きい。よって、縁壁部２２を段部１４の外側に重ねることができる。
【００１７】
縁壁部２２の内周面には、容器本体２の段部１４に設けた突条部１４ａに係合する複数（本実施形態では４つ）の係合爪２２ａが設けられている。各係合爪２２ａは、縁壁部２２の内周面から内側に突出して設けられている。複数の係合爪２２ａは、周方向に等間隔で設けられている。係合爪２２ａの個数は、４個に限らず、任意に設定可能である。
【００１８】
容器本体２の段部１４の外側に蓋体４の縁壁部２２を重ねて蓋体４を容器本体２に向けて押し込むと、複数の係合爪２２ａが容器本体２の段部１４に設けた突条部１４ａを乗り越えて突条部１４ａに係合する。
【００１９】
係合爪２２ａの突出高さおよび突条部１４ａの突出高さは、蓋体４の縁壁部２２や容器本体２の段部１４の弾性変形を伴って、複数の係合爪２２ａが容器本体２の段部１４に設けた突条部１４ａを乗り越えることができる高さに設計されている。複数の係合爪２２ａが突条部１４ａを乗り越えた後で、弾性変形した縁壁部２２や段部１４が元の形状に戻り、複数の係合爪２２ａが突条部１４ａに係合し、蓋体４が容器本体２に固定され、蓋体４の脱落が防止される。
【００２０】
容器本体２に蓋体４を固定するための取り付け構造は、上述した突条部１４ａと係合爪２２ａによるものに限らず、任意に変更可能である。例えば、容器本体２の段部１４の外周面に雄ネジを設けて、蓋体４の縁壁部２２の内周面に雌ネジを設けてもよい。この場合、容器本体２の段部１４に蓋体４の縁壁部２２を重ねて蓋体４を回転させ、容器本体２の段部１４に蓋体４の縁壁部２２を螺合することができる。
【００２１】
蓋体４は、縁壁部２２の図示上端（容器本体２から離間した側の端部）から後述する略円筒状の突起２４に向けて徐々に縮径しつつ図示上方に向けてドーム状に膨出した形状を有する。突起２４は、縁壁部２２から離れる方向（図示上方）に突出している。突起２４は、上述した容器本体２の底壁１２の凹部１５に設けた凹み１６内に挿入可能な形状および大きさを有する。
【００２２】
凹み１６および突起２４の形状および大きさは、例えば図６に示すように、２つの揮散装置１０、１０’を上下に重ねたときに、上方の揮散装置１０’の容器本体２の底壁１２に設けた凹み１６内に下方の揮散装置１０の蓋体４の突起２４がちょうど嵌り、下方の揮散装置１０に対する上方の揮散装置１０’の移動を規制することができる形状および大きさであればよい。
【００２３】
本実施形態の突起２４の突出高さは、容器本体２の凹み１６の深さよりわずかに小さい。また、突起２４の外径は、凹み１６の内径よりわずかに小さい。さらに、蓋体４のドーム状部分の表面形状（後に詳述する）は、容器本体２の底壁１２に設けた凹部１５の形状と略一致する。よって、２つの揮散装置１０、１０’を上下に重ねると、下方の揮散装置１０の蓋体４の突起２４が上方の揮散装置１０’の容器本体２の底壁１２の凹み１６に嵌り、下方の揮散装置１０の蓋体４の膨出側の表面の一部が上方の揮散装置１０’の容器本体２の凹部１５の底面に接触する。この状態で、下方の揮散装置１０の蓋体４が上方の揮散装置１０’の容器本体２の底壁１２を下方から支え、上方の揮散装置１０’の底壁１２に設けた凹み１６に嵌った下方の揮散装置１０の蓋体４の突起２４が上方の揮散装置１０’の倒れや脱落を防止する。
【００２４】
なお、容器本体２の底壁１２に設けた凹み１６および蓋体４の突起２４の形状や大きさは、本実施形態のものに限定されるものではなく、揮散装置１０、１０’を上下に積み重ねたときの姿勢安定性を確保することができるものであればいかなるものであってもよい。また、本実施形態では、容器本体２の底壁１２に凹み１６を設けて蓋体４に突起２４を設けたが、逆であってもよい。つまり、容器本体２の底壁１２の凹部１５の中央から外方（下方）へ突出した突起（図示せず）を設けて蓋体４の頂部にこの突起を嵌める穴部（図示せず）を設けてもよい。この場合、凹部１５の中央から突出した突起の突出高さは、底壁１２の下面のレベルを超えない高さである必要がある。
【００２５】
蓋体４は、縁壁部２２と突起２４との間の上述した膨出部分に複数の揮散口２１ａ〜２１ｎ、２３ａ〜２３ｆ、２５ａ〜２５ｌを有する。言い換えると、蓋体４の膨出した部分は、複数の揮散口２１ａ〜２１ｎ、２３ａ〜２３ｆ、２５ａ〜２５ｌを区画する複数本のリブ３１ａ〜３１ｊ、３２ａ〜３２ｌ、３３ａ〜３３ｌ、３４ａ〜３４ｈ、３５ａ〜３５ｌ、および特定の揮散口（実際には開口していないため揮散口ではない）だけを塞いだ複数枚の閉塞板部４１ａ、４１ｂ、４２ａ、４２ｂにより形成されている。蓋体４、すなわち縁壁部２２、突起２４、リブ３１ａ〜３１ｊ、３２ａ〜３２ｌ、３３ａ〜３３ｌ、３４ａ〜３４ｈ、３５ａ〜３５ｌ、および閉塞板部４１ａ、４１ｂ、４２ａ、４２ｂは、例えば、樹脂の一体成形により形成されている。
【００２６】
複数本のリブ３１ａ〜３１ｊ、３２ａ〜３２ｌ、３３ａ〜３３ｌ、３４ａ〜３４ｈ、３５ａ〜３５ｌの形状、すなわち複数の揮散口２１ａ〜２１ｎ、２３ａ〜２３ｆ、２５ａ〜２５ｌの形状は、蓋体４の機械強度およびデザイン性を考慮した形状に形成することが望ましい。また、複数本のリブ３１ａ〜３１ｊ、３２ａ〜３２ｌ、３３ａ〜３３ｌ、３４ａ〜３４ｈ、３５ａ〜３５ｌの配置、すなわち複数の揮散口２１ａ〜２１ｎ、２３ａ〜２３ｆ、２５ａ〜２５ｌのレイアウトも、蓋体４の機械強度およびデザイン性を考慮しつつ自由に設計できる。つまり、複数本のリブ３１ａ〜３１ｊ、３２ａ〜３２ｌ、３３ａ〜３３ｌ、３４ａ〜３４ｈ、３５ａ〜３５ｌおよび複数の揮散口２１ａ〜２１ｎ、２３ａ〜２３ｆ、２５ａ〜２５ｌは、本実施形態における形状およびレイアウトに限定されるものではなく、その形状およびレイアウトは任意に変更可能である。
【００２７】
ここで、主に図５を参照して、本実施形態の蓋体４のリブ３１ａ〜３１ｊ、３２ａ〜３２ｌ、３３ａ〜３３ｌ、３４ａ〜３４ｈ、３５ａ〜３５ｌ、揮散口２１ａ〜２１ｎ、２３ａ〜２３ｆ、２５ａ〜２５ｌ、および閉塞板部４１ａ、４１ｂ、４２ａ、４２ｂの形状およびレイアウトについて詳細に説明する。  
蓋体４は、縁壁部２２と同心に配置された環状リブ３１を有する。環状リブ３１の直径（円形ではないので例えば径方向の平均的な長さ）は、縁壁部２２の直径より小さい。本実施形態の環状リブ３１は、縁壁部２２の半径よりわずかに大きい直径を有する。環状リブ３１は、２本の円弧状リブ３１ａ、３１ｂと８つの渦状リブ３１ｃ、３１ｄ、３１ｅ、３１ｆ、３１ｇ、３１ｈ、３１ｉ、３１ｊを環状につなげた形状を有する。より正確には、渦状リブ３１ｃ、３１ｄ、３１ｅ、３１ｆ、３１ｇ、３１ｈ、３１ｉ、３１ｊは、それぞれ、その全体が環状リブ３１の一部として機能する訳ではなく、環状リブ３１として機能する部分と後述する支えリブ３４ａ、３４ｂ、３４ｃ、３４ｄ、３４ｅ、３４ｆ、３４ｇ、３４ｈとして機能する部分を含む。
【００２８】
２つの円弧状リブ３１ａ、３１ｂは、ドーム状に膨出した蓋体４の頂部に設けた突起２４を中心にした円弧に沿った形状に形成されている。２つの円弧状リブ３１ａ、３１ｂは、突起２４を間に挟んで蓋体４の径方向に対向する位置に配置されている。環状リブ３１は、２つの円弧状リブ３１ａ、３１ｂの間にそれぞれ４つずつ渦状リブ３１ｃ、３１ｄ、３１ｅ、３１ｆ、３１ｇ、３１ｈ、３１ｉ、３１ｊを有する。渦状リブ３１ｃ、３１ｄ、３１ｅ、３１ｆ、３１ｇ、３１ｈ、３１ｉ、３１ｊは、それぞれ、円弧状リブ３１ａ、３１ｂとは逆向きに湾曲した螺旋状に形成されている。
【００２９】
具体的には、一方の円弧状リブ３１ａの一端（図示時計回り方向の下流側端部）に連結部分Ｐ１を介して渦状リブ３１ｃの基端が連結され、渦状リブ３１ｃの中間部分に連結部分Ｐ２を介して渦状リブ３１ｄの中間部分が連結されている。２つの渦状リブ３１ｃ、３１ｄは、その中間部分において湾曲形状の外側同士が連結部分Ｐ２を介して連結されている。また、渦状リブ３１ｄの基端に連結部分Ｐ３を介して渦状リブ３１ｅの基端が連結されている。さらに、渦状リブ３１ｅの中間部分に連結部分Ｐ４を介して渦状リブ３１ｆの中間部分が連結され、渦状リブ３１ｆの基端に連結部分Ｐ５を介してもう一方の円弧状リブ３１ｂの一端（図示時計回り方向の上流側端部）が連結されている。
【００３０】
同様に、円弧状リブ３１ｂの他端（図示時計回り方向の下流側端部）に連結部分Ｐ６を介して渦状リブ３１ｇの基端が連結され、渦状リブ３１ｇの中間部分に連結部分Ｐ７を介して渦状リブ３１ｈの中間部分が連結されている。２つの渦状リブ３１ｇ、３１ｈは、その中間部分において湾曲形状の外側同士が連結部分Ｐ７を介して連結されている。また、渦状リブ３１ｈの基端に連結部分Ｐ８を介して渦状リブ３１ｉの基端が連結されている。さらに、渦状リブ３１ｉの中間部分に連結部分Ｐ９を介して渦状リブ３１ｊの中間部分が連結され、渦状リブ３１ｊの基端に連結部分Ｐ１０を介して円弧状リブ３１ａの他端（図示時計回り方向の上流側端部）が連結されている。
【００３１】
縁壁部２２と環状リブ３１の間には、１２本の傾斜リブ３２ａ、３２ｂ、３２ｃ、３２ｄ、３２ｅ、３２ｆ、３２ｇ、３２ｈ、３２ｉ、３２ｊ、３２ｋ、３２ｌ、および１２本の湾曲リブ３３ａ、３３ｂ、３３ｃ、３３ｄ、３３ｅ、３３ｆ、３３ｇ、３３ｈ、３３ｉ、３３ｊ、３３ｋ、３３ｌがかけ渡されている。傾斜リブ３２ａ〜３２ｌおよび湾曲リブ３３ａ〜３３ｌは、蓋体４の周方向に沿って２本ずつ交互に等間隔で並べて設けられている。傾斜リブ３２ａ〜３２ｌは、その傾斜方向を交互に異ならせて配置されている。湾曲リブ３３ａ〜３３ｌは、湾曲の向きを交互に異ならせて配置されている。
【００３２】
具体的には、傾斜リブ３２ａの一端が連結部分Ｐ１１を介して縁壁部２２の上端縁部に連結され、傾斜リブ３２ａの他端が上述した連結部分Ｐ１を介して環状リブ３１に連結されている。また、湾曲リブ３３ａの一端が連結部分Ｐ１２を介して縁壁部２２の上端縁部に連結され、湾曲リブ３３ａの他端が連結部分Ｐ１を介して環状リブ３１に連結されている。また、湾曲リブ３３ｂの一端が連結部分Ｐ１２を介して縁壁部２２の上端縁部に連結され、湾曲リブ３３ｂの他端が連結部分Ｐ１を介して環状リブ３１に連結されている。２本の湾曲リブ３３ａ、３３ｂは、湾曲の内側が互いに対向する向きで連結部分Ｐ１と連結部分Ｐ１２の間に設けられている。さらに、傾斜リブ３２ｂの一端が連結部分Ｐ１３を介して縁壁部２２の上端縁部に連結され、傾斜リブ３２ｂの他端が連結部分Ｐ１を介して環状リブ３１に連結されている。
【００３３】
同様に、傾斜リブ３２ｃの一端が連結部分Ｐ１３を介して縁壁部２２の上端縁部に連結され、傾斜リブ３２ｃの他端が上述した連結部分Ｐ３を介して環状リブ３１に連結されている。また、湾曲リブ３３ｃの一端が連結部分Ｐ１４を介して縁壁部２２の上端縁部に連結され、湾曲リブ３３ｃの他端が連結部分Ｐ３を介して環状リブ３１に連結されている。また、湾曲リブ３３ｄの一端が連結部分Ｐ１４を介して縁壁部２２の上端縁部に連結され、湾曲リブ３３ｄの他端が連結部分Ｐ３を介して環状リブ３１に連結されている。２本の湾曲リブ３３ｃ、３３ｄは、湾曲の内側が互いに対向する向きで連結部分Ｐ３と連結部分Ｐ１４の間に設けられている。さらに、傾斜リブ３２ｄの一端が連結部分Ｐ１５を介して縁壁部２２の上端縁部に連結され、傾斜リブ３２ｄの他端が連結部分Ｐ３を介して環状リブ３１に連結されている。
【００３４】
さらに、傾斜リブ３２ｅの一端が連結部分Ｐ１５を介して縁壁部２２の上端縁部に連結され、傾斜リブ３２ｅの他端が上述した連結部分Ｐ５を介して環状リブ３１に連結されている。また、湾曲リブ３３ｅの一端が連結部分Ｐ１６を介して縁壁部２２の上端縁部に連結され、湾曲リブ３３ｅの他端が連結部分Ｐ５を介して環状リブ３１に連結されている。また、湾曲リブ３３ｆの一端が連結部分Ｐ１６を介して縁壁部２２の上端縁部に連結され、湾曲リブ３３ｆの他端が連結部分Ｐ５を介して環状リブ３１に連結されている。２本の湾曲リブ３３ｅ、３３ｆは、湾曲の内側が互いに対向する向きで連結部分Ｐ５と連結部分Ｐ１６の間に設けられている。さらに、傾斜リブ３２ｆの一端が連結部分Ｐ１７を介して縁壁部２２の上端縁部に連結され、傾斜リブ３２ｆの他端が連結部分Ｐ５を介して環状リブ３１に連結されている。
【００３５】
また、傾斜リブ３２ｇの一端が連結部分Ｐ１７を介して縁壁部２２の上端縁部に連結され、傾斜リブ３２ｇの他端が上述した連結部分Ｐ６を介して環状リブ３１に連結されている。また、湾曲リブ３３ｇの一端が連結部分Ｐ１８を介して縁壁部２２の上端縁部に連結され、湾曲リブ３３ｇの他端が連結部分Ｐ６を介して環状リブ３１に連結されている。また、湾曲リブ３３ｈの一端が連結部分Ｐ１８を介して縁壁部２２の上端縁部に連結され、湾曲リブ３３ｈの他端が連結部分Ｐ６を介して環状リブ３１に連結されている。２本の湾曲リブ３３ｇ、３３ｈは、湾曲の内側が互いに対向する向きで連結部分Ｐ６と連結部分Ｐ１８の間に設けられている。さらに、傾斜リブ３２ｈの一端が連結部分Ｐ１９を介して縁壁部２２の上端縁部に連結され、傾斜リブ３２ｈの他端が連結部分Ｐ６を介して環状リブ３１に連結されている。
【００３６】
また、傾斜リブ３２ｉの一端が連結部分Ｐ１９を介して縁壁部２２の上端縁部に連結され、傾斜リブ３２ｉの他端が上述した連結部分Ｐ８を介して環状リブ３１に連結されている。また、湾曲リブ３３ｉの一端が連結部分Ｐ２０を介して縁壁部２２の上端縁部に連結され、湾曲リブ３３ｉの他端が連結部分Ｐ８を介して環状リブ３１に連結されている。また、湾曲リブ３３ｊの一端が連結部分Ｐ２０を介して縁壁部２２の上端縁部に連結され、湾曲リブ３３ｊの他端が連結部分Ｐ８を介して環状リブ３１に連結されている。２本の湾曲リブ３３ｉ、３３ｊは、湾曲の内側が互いに対向する向きで連結部分Ｐ８と連結部分Ｐ２０の間に設けられている。さらに、傾斜リブ３２ｊの一端が連結部分Ｐ２１を介して縁壁部２２の上端縁部に連結され、傾斜リブ３２ｊの他端が連結部分Ｐ８を介して環状リブ３１に連結されている。
【００３７】
さらに、傾斜リブ３２ｋの一端が連結部分Ｐ２１を介して縁壁部２２の上端縁部に連結され、傾斜リブ３２ｋの他端が上述した連結部分Ｐ１０を介して環状リブ３１に連結されている。また、湾曲リブ３３ｋの一端が連結部分Ｐ２２を介して縁壁部２２の上端縁部に連結され、湾曲リブ３３ｋの他端が連結部分Ｐ１０を介して環状リブ３１に連結されている。また、湾曲リブ３３ｌの一端が連結部分Ｐ２２を介して縁壁部２２の上端縁部に連結され、湾曲リブ３３ｌの他端が連結部分Ｐ１０を介して環状リブ３１に連結されている。２本の湾曲リブ３３ｋ、３３ｌは、湾曲の内側が互いに対向する向きで連結部分Ｐ１０と連結部分Ｐ２２の間に設けられている。さらに、傾斜リブ３２ｌの一端が連結部分Ｐ１１を介して縁壁部２２の上端縁部に連結され、傾斜リブ３２ｌの他端が連結部分Ｐ１０を介して環状リブ３１に連結されている。
【００３８】
なお、上述した環状リブ３１の８つの渦状リブ３１ｃ、３１ｄ、３１ｅ、３１ｆ、３１ｇ、３１ｈ、３１ｉ、３１ｊは、それぞれ、その先端が傾斜リブ３２ｂ、３２ｃ、３２ｄ、３２ｅ、３２ｈ、３２ｉ、３２ｊ、３２ｋの中間部分に連結されている。
【００３９】
渦状リブ３１ｃ、３１ｄ、３１ｅ、３１ｆ、３１ｇ、３１ｈ、３１ｉ、３１ｊの先端は、それぞれ、傾斜リブ３２ｂ、３２ｃ、３２ｄ、３２ｅ、３２ｈ、３２ｉ、３２ｊ、３２ｋの表面よりわずかに外方へ突出している。言い換えると、渦状リブ３１ｃ、３１ｄ、３１ｅ、３１ｆ、３１ｇ、３１ｈ、３１ｉ、３１ｊの先端側の表面は、傾斜リブ３２ｂ、３２ｃ、３２ｄ、３２ｅ、３２ｈ、３２ｉ、３２ｊ、３２ｋの表面と面一につながっていない。
【００４０】
渦状リブ３１ｃの中間部分である連結部分Ｐ２と傾斜リブ３２ｂの中間部分をつなぐ渦状リブ３１ｃの先端側の一部分は、環状リブ３１を支える支えリブ３４ａとして機能する。渦状リブ３１ｄの中間部分である連結部分Ｐ２と傾斜リブ３２ｃの中間部分をつなぐ渦状リブ３１ｄの先端側の一部分は、環状リブ３１を支える支えリブ３４ｂとして機能する。渦状リブ３１ｅの中間部分である連結部分Ｐ４と傾斜リブ３２ｄの中間部分をつなぐ渦状リブ３１ｅの先端側の一部分は、環状リブ３１を支える支えリブ３４ｃとして機能する。渦状リブ３１ｆの中間部分である連結部分Ｐ４と傾斜リブ３２ｅの中間部分をつなぐ渦状リブ３１ｆの先端側の一部分は、環状リブ３１を支える支えリブ３４ｄとして機能する。
【００４１】
渦状リブ３１ｇの中間部分である連結部分Ｐ７と傾斜リブ３２ｈの中間部分をつなぐ渦状リブ３１ｇの先端側の一部分は、環状リブ３１を支える支えリブ３４ｅとして機能する。渦状リブ３１ｈの中間部分である連結部分Ｐ７と傾斜リブ３２ｉの中間部分をつなぐ渦状リブ３１ｈの先端側の一部分は、環状リブ３１を支える支えリブ３４ｆとして機能する。渦状リブ３１ｉの中間部分である連結部分Ｐ９と傾斜リブ３２ｊの中間部分をつなぐ渦状リブ３１ｉの先端側の一部分は、環状リブ３１を支える支えリブ３４ｇとして機能する。渦状リブ３１ｊの中間部分である連結部分Ｐ９と傾斜リブ３２ｋの中間部分をつなぐ渦状リブ３１ｊの先端側の一部分は、環状リブ３１を支える支えリブ３４ｈとして機能する。
【００４２】
環状リブ３１と突起２４の間には、上述した湾曲リブ３３ａ〜３３ｌより長い１２本の湾曲リブ３５ａ、３５ｂ、３５ｃ、３５ｄ、３５ｅ、３５ｆ、３５ｇ、３５ｈ、３５ｉ、３５ｊ、３５ｋ、３５ｌがかけ渡されている。１２本の湾曲リブ３５ａ〜３５ｌは、蓋体４の周方向に沿ってその湾曲方向を交互に異ならせて配置されている。
【００４３】
具体的には、湾曲リブ３５ａの一端が上述した連結部分Ｐ１を介して環状リブ３１に連結され、湾曲リブ３５ａの他端が突起２４の外周面に連結されている。また、湾曲リブ３５ｂの一端が連結部分Ｐ１を介して環状リブ３１に連結され、湾曲リブ３５ｂの他端が突起２４の外周面に連結されている。２つの湾曲リブ３５ａ、３５ｂは、湾曲の内側が互いに対向する向きで配置されている。
【００４４】
同様に、湾曲リブ３５ｃの一端が上述した連結部分Ｐ３を介して環状リブ３１に連結され、湾曲リブ３５ｃの他端が突起２４の外周面に連結されている。また、湾曲リブ３５ｄの一端が連結部分Ｐ３を介して環状リブ３１に連結され、湾曲リブ３５ｄの他端が突起２４の外周面に連結されている。２つの湾曲リブ３５ｃ、３５ｄは、湾曲の内側が互いに対向する向きで配置されている。
【００４５】
さらに、湾曲リブ３５ｅの一端が上述した連結部分Ｐ５を介して環状リブ３１に連結され、湾曲リブ３５ｅの他端が突起２４の外周面に連結されている。また、湾曲リブ３５ｆの一端が連結部分Ｐ５を介して環状リブ３１に連結され、湾曲リブ３５ｆの他端が突起２４の外周面に連結されている。２つの湾曲リブ３５ｅ、３５ｆは、湾曲の内側が互いに対向する向きで配置されている。
【００４６】
また、湾曲リブ３５ｇの一端が上述した連結部分Ｐ６を介して環状リブ３１に連結され、湾曲リブ３５ｇの他端が突起２４の外周面に連結されている。また、湾曲リブ３５ｈの一端が連結部分Ｐ６を介して環状リブ３１に連結され、湾曲リブ３５ｈの他端が突起２４の外周面に連結されている。２つの湾曲リブ３５ｇ、３５ｈは、湾曲の内側が互いに対向する向きで配置されている。
【００４７】
また、湾曲リブ３５ｉの一端が上述した連結部分Ｐ８を介して環状リブ３１に連結され、湾曲リブ３５ｉの他端が突起２４の外周面に連結されている。また、湾曲リブ３５ｊの一端が連結部分Ｐ８を介して環状リブ３１に連結され、湾曲リブ３５ｊの他端が突起２４の外周面に連結されている。２つの湾曲リブ３５ｉ、３５ｊは、湾曲の内側が互いに対向する向きで配置されている。
【００４８】
また、湾曲リブ３５ｋの一端が上述した連結部分Ｐ１０を介して環状リブ３１に連結され、湾曲リブ３５ｋの他端が突起２４の外周面に連結されている。また、湾曲リブ３５ｌの一端が連結部分Ｐ１０を介して環状リブ３１に連結され、湾曲リブ３５ｌの他端が突起２４の外周面に連結されている。２つの湾曲リブ３５ｋ、３５ｌは、湾曲の内側が互いに対向する向きで配置されている。
【００４９】
蓋体４は、上述した複数本のリブ３１ａ〜３１ｊ、３２ａ〜３２ｌ、３３ａ〜３３ｌ、３４ａ〜３４ｈ、３５ａ〜３５ｌの形状およびレイアウトに依存する形状の複数の揮散口２１ａ〜２１ｎ、２３ａ〜２３ｆ、２５ａ〜２５ｌを有する。
【００５０】
揮散口２１ａは、円弧状リブ３１ａ、傾斜リブ３２ａ、および傾斜リブ３２ｌにより囲まれた略三角形の領域にある開口部であり、揮散口２１ｂも、円弧状リブ３１ｂ、傾斜リブ３２ｆ、および傾斜リブ３２ｇにより囲まれた略三角形の領域にある開口部である。
【００５１】
揮散口２１ｃは、傾斜リブ３２ｂと渦状リブ３１ｃにより囲まれた領域にある開口部であり、揮散口２１ｄは、傾斜リブ３２ｃと渦状リブ３１ｄにより囲まれた領域にある開口部である。揮散口２１ｅは、傾斜リブ３２ｂ、傾斜リブ３２ｃ、渦状リブ３１ｃ、および渦状リブ３１ｄにより囲まれた領域にある開口部である。
【００５２】
揮散口２１ｆは、傾斜リブ３２ｄと渦状リブ３１ｅにより囲まれた領域にある開口部であり、揮散口２１ｇは、傾斜リブ３２ｅと渦状リブ３１ｆにより囲まれた領域にある開口部である。揮散口２１ｈは、傾斜リブ３２ｄ、傾斜リブ３２ｅ、渦状リブ３１ｅ、および渦状リブ３１ｆにより囲まれた領域にある開口部である。
【００５３】
揮散口２１ｉは、傾斜リブ３２ｈと渦状リブ３１ｇにより囲まれた領域にある開口部であり、揮散口２１ｊは、傾斜リブ３２ｉと渦状リブ３１ｈにより囲まれた領域にある開口部である。揮散口２１ｋは、傾斜リブ３２ｈ、傾斜リブ３２ｉ、渦状リブ３１ｇ、および渦状リブ３１ｈにより囲まれた領域にある開口部である。
【００５４】
揮散口２１ｌは、傾斜リブ３２ｊと渦状リブ３１ｉにより囲まれた領域にある開口部であり、揮散口２１ｍは、傾斜リブ３２ｋと渦状リブ３１ｊにより囲まれた領域にある開口部である。揮散口２１ｎは、傾斜リブ３２ｊ、傾斜リブ３２ｋ、渦状リブ３１ｉ、および渦状リブ３１ｊにより囲まれた領域にある開口部である。
【００５５】
また、揮散口２３ａは、湾曲リブ３３ａと湾曲リブ３３ｂにより囲まれた領域にある開口部であり、揮散口２３ｂは、湾曲リブ３３ｃと湾曲リブ３３ｄにより囲まれた領域にある開口部であり、揮散口２３ｃは、湾曲リブ３３ｅと湾曲リブ３３ｆにより囲まれた領域にある開口部であり、揮散口２３ｄは、湾曲リブ３３ｇと湾曲リブ３３ｈにより囲まれた領域にある開口部であり、揮散口２３ｅは、湾曲リブ３３ｉと湾曲リブ３３ｊにより囲まれた領域にある開口部であり、揮散口２３ｆは、湾曲リブ３３ｋと湾曲リブ３３ｌにより囲まれた領域にある開口部である。
【００５６】
円弧状リブ３１ａ、湾曲リブ３５ａ、湾曲リブ３５ｌ、および突起２４により囲まれた領域は、閉塞板部４１ａにより閉塞されており、この領域は揮散口として機能しない。また、円弧状リブ３１ｂ、湾曲リブ３５ｆ、湾曲リブ３５ｇ、および突起２４により囲まれた領域は、閉塞板部４１ｂにより閉塞されており、この領域も揮散口として機能しない。
【００５７】
湾曲リブ３５ｃ、湾曲リブ３５ｄ、および突起２４により囲まれた領域は、閉塞板部４２ａにより閉塞されており、この領域は揮散口として機能しない。また、湾曲リブ３５ｉ、湾曲リブ３５ｊ、および突起２４により囲まれた領域も、閉塞板部４２ｂにより閉塞されており、この領域は揮散口として機能しない。
【００５８】
揮散口２６ａは、湾曲リブ３５ａ、湾曲リブ３５ｂ、および突起２４により囲まれた領域にある開口部である。揮散口２６ｂは、湾曲リブ３５ｅ、湾曲リブ３５ｆ、および突起２４により囲まれた領域にある開口部である。揮散口２６ｃは、湾曲リブ３５ｇ、湾曲リブ３５ｈ、および突起２４により囲まれた領域にある開口部である。揮散口２６ｄは、湾曲リブ３５ｋ、湾曲リブ３５ｌ、および突起２４により囲まれた領域にある開口部である。
【００５９】
揮散口２７ａは、湾曲リブ３５ｂ、湾曲リブ３５ｃ、渦状リブ３１ｃ、渦状リブ３１ｄ、および突起２４により囲まれた領域にある開口部である。揮散口２７ｂは、湾曲リブ３５ｄ、湾曲リブ３５ｅ、渦状リブ３１ｅ、渦状リブ３１ｆ、および突起２４により囲まれた領域にある開口部である。揮散口２７ｃは、湾曲リブ３５ｈ、湾曲リブ３５ｉ、渦状リブ３１ｇ、渦状リブ３１ｈ、および突起２４により囲まれた領域にある開口部である。揮散口２７ｄは、湾曲リブ３５ｊ、湾曲リブ３５ｋ、渦状リブ３１ｉ、渦状リブ３１ｊ、および突起２４により囲まれた領域にある開口部である。
【００６０】
以下、蓋体４の機能についてさらに説明する。  
蓋体４の複数本のリブ３１ａ〜３１ｊ、３２ａ〜３２ｌ、３３ａ〜３３ｌ、３５ａ〜３５ｌは、それぞれ所定の曲率で湾曲した架空の曲面に沿った表面を有する。ここで言う各リブの表面とは、容器本体２から離間した蓋体４のドーム状の膨出した上面側（図５で紙面手前側）の面である。
【００６１】
例えば、環状リブ３１と突起２４の間に設けた１２本の湾曲リブ３５ａ〜３５ｌの表面は、当該蓋体４の上に別の揮散装置１０’を重ねたときに、この揮散装置１０’の容器本体２の底壁１２に設けた凹部１５の表面に面で接触する曲率を有する。つまり、これら１２本の湾曲リブ３５ａ〜３５ｌは、凹部１５と同じ曲率の表面を有する。
【００６２】
これに対し、環状リブ３１と縁壁部２２の間に設けた１２本の湾曲リブ３３ａ〜３３ｌの表面も、所定の曲率で湾曲した架空の曲面に沿った曲面である。湾曲リブ３３ａ〜３３ｌの表面の曲率は、湾曲リブ３５ａ〜３５ｌの表面の曲率と同じであってもよく、異なる曲率であってもよい。
【００６３】
しかし、湾曲リブ３３ａ〜３３ｌの表面を含む架空の曲面と湾曲リブ３５ａ〜３５ｌの表面を含む架空の曲面は同一のつながった曲面を形成していない。言い換えると、湾曲リブ３３ａ〜３３ｌの表面を含む架空の曲面と湾曲リブ３５ａ〜３５ｌの表面を含む架空の曲面の間には円環状の架空の変曲部分がある。
【００６４】
湾曲リブ３３ａ〜３３ｌの表面を含む架空の曲面と湾曲リブ３５ａ〜３５ｌの表面を含む架空の曲面の間の変曲部分は、環状リブ３１の上にある。また、湾曲リブ３３ａ〜３３ｌの表面を含む架空の曲面と湾曲リブ３５ａ〜３５ｌの表面を含む架空の曲面の間の変曲部分は、蓋体４の内側に向けてわずかに凹んでいる。
【００６５】
このように、蓋体４の表面の円環状の変曲部分が凹んでいることにより、当該蓋体４の上に別の揮散装置１０’を重ねたときに、揮散装置１０’の容器本体２の底壁１２に設けた凹部１５の縁１５ａが当該蓋体４の変曲部分にちょうど引っ掛かる。つまり、蓋体４に上述した変曲部分を設けたことで、当該蓋体４の上に重ねた揮散装置１０’を安定して支持することができる。
【００６６】
なお、図６に示すように、揮散装置１０の上に別の揮散装置１０’を積み重ねると、上側の揮散装置１０’の容器本体２の底壁１２に設けた凹部１５に下側の揮散装置１０の蓋体４の一部（環状リブ３１、湾曲リブ３５ａ〜３５ｌ）が接触する。このとき、同時に、上側の揮散装置１０’の容器本体２の凹部１５に設けた凹み１６内に下方の揮散装置１０の蓋体４の突起２４が嵌る。この状態で、上側の揮散装置１０’の容器本体２の凹部１５の縁１５ａが下側の揮散装置１０の蓋体４の環状リブ３１に当接する。
【００６７】
言い換えると、環状リブ３１は、２つの揮散装置１０、１０’を上下に重ねた状態で、上方の揮散装置１０’の底壁１２の凹部１５の縁１５ａが下方の揮散装置１０の蓋体４の環状リブ３１に重なる位置に設けられている。さらに言い換えると、容器本体２の底壁１２に設けた凹部１５の直径は、蓋体４の環状リブ３１の直径と略同じであり、凹部１５は蓋体４を全体的に覆う大きさではなく部分的に覆う大きさを有する。
【００６８】
本実施形態では、環状リブ３１を蓋体４の膨出方向（図示上下方向）の略中間に設けた。このため、図６に示すように２つの揮散装置１０、１０’を上下に重ねた状態で、上方の揮散装置１０’の容器本体２の底壁１２が下方の揮散装置１０の蓋体４の膨出方向の略中間に位置し、下方の揮散装置１０の蓋体４の一部（図示下側の約半分）が外部から目視可能となり、複数の揮散装置１０を積み重ねた際の美観を向上させることができる。
【００６９】
また、蓋体４は、所定の機械強度を有する。上記構造の揮散装置１０によると、容器本体２の開口部１３に蓋体４を装着する際に、蓋体４に対して容器本体２に向かう方向（図示下方）の押圧力が作用する。また、揮散装置１０の上に別の揮散装置１０’を重ねて載置すると、蓋体４に対して容器本体２に向かう方向の押圧力が作用する。このため、蓋体４には、特に、上下方向の押圧力に対する十分な機械強度が必要となる。
【００７０】
蓋体４の環状リブ３１は、このような押圧力を比較的多く受ける位置に配置されている。また、環状リブ３１と縁壁部２２の間には、複数本の傾斜リブ３２ａ〜３２ｌ、および複数本の湾曲リブ３３ａ〜３３ｌが配置されているとともに、複数の支えリブ３４ａ〜３４ｈが配置されている。このため、環状リブ３１が受けた押圧力を縁壁部２２との間に配置した複数本のリブ３２ａ〜３２ｌ、３３ａ〜３３ｌ、３４ａ〜３４ｈにより受けて荷重を支えることができ、蓋体４に対して十分な機械強度を付与することができる。
【００７１】
なお、本実施形態では、環状リブ３１に沿って複数の支えリブ３４ａ〜３４ｈを等間隔で設けておらず、円弧状リブ３１ａ、傾斜リブ３２ａ、および傾斜リブ３２ｌにより囲まれた領域、および円弧状リブ３１ｂ、傾斜リブ３２ｆ、および傾斜リブ３２ｇにより囲まれた領域には支えリブが無い。代わりに、これらの領域には、円弧状リブ３１ａ、３１ｂの強度を高めるため、閉塞板部４１ａ、４１ｂを設けた。これにより、蓋体４の周方向における機械強度のばらつきを抑制している。
【００７２】
つまり、本実施形態によると、蓋体４の模様に相当するリブ形状を比較的自由に設計することができ、その上、十分な機械強度を付与することもでき、複数の揮散装置１０の積み重ねに適した構造を提供することができる。また、揮散装置１０による薬剤の揮散量を決める揮散口の開口面積に関係する構成として、複数枚の閉塞部材４１ａ、４１ｂ、４２ａ、４２ｂを有するが、これらの閉塞部材４１ａ、４１ｂ、４２ａ、４２ｂも、蓋体４の強度バランスを考慮した位置に自由に配置することができ、設計の自由度が高い。
【００７３】
以上、実施形態に基づいて本発明を説明したが、本発明は、上述した実施形態に限定されるものではなく、本発明の要旨の範囲内で種々の変形や応用が可能なことは勿論である。
【００７４】
例えば、上述した実施形態では、２つの揮散装置１０、１０’を上下に重ねた場合について説明したが、３つ以上の揮散装置１０を重ねることもできる。
【符号の説明】
【００７５】
２…容器本体、  ４…蓋体、  １０、１０’…揮散装置、  １１…周壁、  １２…底壁、  １３…開口部、  １４…段部、  １４ａ…突条部、  １５…凹部、  １６…凹み、  ２１ａ、２１ｂ、２１ｃ、２１ｄ、２１ｅ、２１ｆ、２１ｇ、２１ｈ、２１ｉ、２１ｊ、２１ｋ、２１ｌ、２１ｍ、２１ｎ、２３ａ、２３ｂ、２３ｃ、２３ｄ、２３ｅ、２３ｆ、２５ａ、２５ｂ、２５ｃ、２５ｄ、２５ｅ、２５ｆ、２５ｇ、２５ｈ、２５ｉ、２５ｊ、２５ｋ、２５ｌ、２６ａ、２６ｂ、２６ｃ、２６ｄ、２７ａ、２７ｂ、２７ｃ、２７ｄ…揮散口、  ２２…縁壁部、  ２２ａ…係合爪、  ２４…突起、  ３１…環状リブ、  ３１ａ、３１ｂ…円弧状リブ、  ３１ｃ、３１ｄ、３１ｅ、３１ｆ、３１ｇ、３１ｈ、３１ｉ、３１ｊ…渦状リブ、  ３２ａ、３２ｂ、３２ｃ、３２ｄ、３２ｅ、３２ｆ、３２ｇ、３２ｈ、３２ｉ、３２ｊ、３２ｋ、３２ｌ…傾斜リブ、  ３３ａ、３３ｂ、３３ｃ、３３ｄ、３３ｅ、３３ｆ、３３ｇ、３３ｈ、３３ｉ、３３ｊ、３３ｋ、３３ｌ…湾曲リブ、  ３４ａ、３４ｂ、３４ｃ、３４ｄ、３４ｅ、３４ｆ、３４ｇ、３４ｈ…支えリブ、  ３５ａ、３５ｂ、３５ｃ、３５ｄ、３５ｅ、３５ｆ、３５ｇ、３５ｈ、３５ｉ、３５ｊ、３５ｋ、３５ｌ…湾曲リブ。
【図１】
2020192235.tif 000003
【図２】
2020192235.tif 000004
【図３】
2020192235.tif 000005
【図４】
2020192235.tif 000006
【図５】
2020192235.tif 000007
【図６】
2020192235.tif 000008